(57)【要約】【課題】  難しい金属ワイヤーの調整をしなくても拡大装置が作動すれば自動的に湾曲に伸びて広がり理想的な歯並びにする歯科矯正装置を提供する。【解決手段】  歯列弓に沿う金属ワイヤーが、繋がった装置の原動力（例えば、歯列拡大弾線、及び歯列拡大スクリュウなど）が作動すれば同時に、ほぼ自動的に原形を崩さず伸縮し治療の目標位置に適合して行く為に、歯列弓に沿う金属ワイヤーを左右に分割して、それより短い金属チューブの中へ両端からその金属ワイヤーを通らせ、片側を固着し、もう片側をスライドできる構造にして装置と繋がる双方の金属ワイヤーを押し引きすると湾曲を描きながら伸縮できる構造にする。【選択図】          図２
2006167426.tif 000002
【特許請求の範囲】
【請求項１】
人の歯の歯列弓の形に沿わせて湾曲した、ワイヤーを左右に分割し、同じく湾曲した短い金属チューブで構成され、そのチューブの中をその左右に分割したワイヤーがそれぞれ両端から互いに通り、片側を固着し、もう片側をスライドできる様にして、双方のワイヤーを左右から引っ張れば湾曲を描きながら伸びて広がり、逆に左右から押せば縮む、歯科矯正用の歯列弓に沿うワイヤー。
【請求項２】
人の歯の歯列弓の形に沿わせて湾曲した、ワイヤーを左右に分割し、同じく湾曲した短いチューブで構成され、そのチューブの中をその左右に分割したワイヤーがそれぞれ両端から互いに通り、スライドできる様にして、双方のワイヤーを左右から引っ張れば湾曲を描きながら伸びて広がり、逆に左右から押せば縮む、歯科矯正用の歯列弓に沿うワイヤー  。
【請求項３】
人の歯の歯列弓の形に沿わせて湾曲した、角型ワイヤーを左右に分割し、同じく湾曲した短い角型チューブで構成され、その角型チューブの中をその左右に分割した角型ワイヤーがそれぞれ両端から互いに通り、片側を固着し、もう片側をスライドできる様にして、双方の角型ワイヤーを左右から引っ張れば湾曲を描きながら伸びて広がり、逆に左右から押せば縮む、歯科矯正用の歯列弓に沿う角型ワイヤー。
【請求項４】
人の歯の歯列弓の形に沿わせて湾曲し左右に分割したワイヤーとリング又はチューブで構成され、そのリング又はチューブの中をその左右に分割したワイヤーがそれぞれ両端から互いに通り、スライドできる様にして、双方のワイヤーを左右から引っ張れば湾曲を描きながら伸びて広がり、逆に左右から押せば縮む、歯科矯正用の歯列弓に沿うワイヤー。    
【請求項５】
人の歯の歯列弓の形に沿わせて湾曲し左右に分割したワイヤーとリング又はチューブで構成され、そのリング又はチューブの中をその左右に分割したワイヤーがそれぞれ両端から互いに通り、一部が直線でスライドできる様にして、双方のワイヤーを左右から引っ張れば、その一部以外は湾曲を描きながら伸びて広がり、逆に左右から押せば縮む、歯科矯正用の歯列弓に沿うワイヤー。
【発明の詳細な説明】
【技術分野】
【０００１】
本発明は歯科矯正治療における、主に歯列スペースの拡大や縮小をする装置と繋がる歯列弓に沿う金属ワイヤーが、装置の原動力（例えば、歯列拡大弾線や歯列拡大スクリュウなど）の作動に合わせ、ほぼ自動的に原形を崩さず湾曲して伸縮し、治療する目標位置に適合していく発明である。
【０００２】
本発明の複雑型は歯科矯正治療における、主に歯列スペースの拡大や縮小をする装置と繋がる歯列弓に沿う金属ワイヤーが、装置の原動力（例えば、歯列拡大弾線や歯列拡大スクリュウなど）の作動に合わせ、ほぼ自動的に原形を崩さず湾曲して伸縮し、治療する目標位置に適合していく発明である。図５ＡＢＣ
【０００３】
本発明の複雑型は歯科矯正治療における、主に歯列スペースの保定や口唇圧を利用して治療をするリップバンパーが左右に伸縮しるリップバンパーチューブに適合していく発明である。  図５ＡＢＣ
【背景技術】
【０００４】
従来、歯科矯正治療の主に歯列スペースの拡大や縮小をする装置の維持をはたしたり、歯の移動位置を定める歯列弓に沿い装置と繋がる金属ワイヤーは、原動力（例えば、歯列拡大弾線や歯列拡大スクリュウなど）が作動すれば、その分だけ左右に引っ張られ原形が崩れる一定の方向に移動して、不必要に変形し不必要な部分を圧迫するため、その度、歯列弓に沿う金属ワイヤーの左右のループを器具で調整し、治療する目標位置にバランスをとって移動するのが必要であり困難であった。
【０００５】
従来、歯科矯正治療の主に歯列スペースの保定や口唇圧を利用して治療をするリップバンパーは一本の金属ワイヤーの左右にあるループを器具で調整してリップバンパーチューブに適合していく様にバランスをとって移動するのが必要であり困難であった。
【発明の開示】
【発明が解決しようとする課題】
【０００６】
従来の歯科矯正治療の主に歯列スペースの拡大や縮小をする装置の原動力（例えば、歯列拡大弾線や列拡大スクリュウなど）の作用と同時に、歯列弓に沿う金属ワイヤーが容易な調整か又は無調整で、ほぼ自動的に原形を崩さず治療する目標位置に適合していく構造にする。
【０００７】
リップバンパーを複数の部品で一体型の形状にして、リップバンパーの両端が左右に伸縮出来ながらリップバンパーチューブに適合していく構造にする。
【課題を解決するための手段】
【０００８】
歯列弓に沿う金属ワイヤーが、繋がった装置の原動力（例えば、歯列拡大弾線、及び歯列拡大スクリュウなど）が作動すれば同時に、ほぼ自動的に原形を崩さず伸縮し治療の目標位置に適合して行く為に、歯列弓に沿う金属ワイヤーを左右に分割して、それより短い金属チューブの中へ両端からその金属ワイヤーを通らせ、片側を固着し、もう片側をスライドできる構造にして装置と繋がる双方の金属ワイヤーを押し引きすると湾曲を描きながら伸縮できる構造にする。スライド部はチューブとワイヤーを同じ円周率で湾曲させる。
【０００９】
複雑型は歯列弓に沿う金属ワイヤーが、繋がった装置の原動力（例えば、歯列拡大弾線、及び歯列拡大スクリュウなど）が作動すれば同時に、ほぼ自動的に原形を崩さず伸縮し治療の目標位置に適合して行く為に、歯列弓に沿う金属ワイヤーを左右に分割して、それより短い金属チューブ又はリングの中へ両端からその互いに金属ワイヤーを通らせ、互いの片側を固着し、もう片側が互いにスライドできる構造にして装置と繋がる双方の金属ワイヤーを押し引きすると湾曲を描きながら伸縮できる構造にする。
【発明の効果】
【００１０】
本発明の効果の一例として歯列のスペースを伸縮する装置が前歯の前後的位置を正しい位置にほぼ自動的に保ったままで、歯列弓を拡大あるいは縮小でき、調整器具による少しの容易なワイヤーに弾撥力を与える調整で全体的にワイドに拡大したり、横斜め方向に拡大したり、原動力（例えば、歯列拡大弾線や歯列拡大クリュウなど）を逆作動して歯列弓を縮めたり、あらゆる移動位置に適合する為、さまざまな応用が期待できる。
【００１１】
本発明の複雑型の効果の一例としてワイヤーを通るチューブ又はリングの穴を楕円形にすれば歯列のスペースを伸縮する装置が前歯の前後的位置を正しい位置にほぼ自動的に保ったままで、歯列弓を拡大あるいは縮小でき、調整器具による少しの容易なワイヤーに弾撥力を与える調整で全体的にワイドに拡大したり、横斜め方向に拡大したり、原動力（例えば、歯列拡大弾線や歯列拡大クリュウなど）を逆作動して歯列弓を縮めたり、あらゆる移動位置に適合する為、さまざまな応用が期待できる。
【００１２】
本発明も本発明の複雑型も混合歯列期の歯科矯正治療後の長期間使用する保定装置に繋がる歯列と床を維持するワイヤーに用いれば、口蓋や下顎骨、又は歯列弓全体の成長に伴い自動的に拡大作動する為、、口蓋や下顎骨、又は歯列弓全体の成長を妨げる作用を予防する。
【００１３】
本発明に於ける複雑型の形状で作成したリップバンパーは、分離、分解しない複数の部品で一体型の形状の為、リップバンパーの両端が左右に伸縮出来ながらリップバンパーチュューブに適合していく構造になる。
【００１４】
本発明の複雑型による構造のリップバンパーは従来製品の様に一本のワイヤーで構成されていないため、リップバンパーの本体の両端が左右に伸縮する時の遊びのため本体のみの状態では不安定であるがリップバンパーチューブの穴に入ると従来製品の一本のワイヤーで構成されたリップバンパーとほぼ同じく撓みの無い状態に変化する。
【００１５】
本発明の構造で作成したリップバンパーをリップバンパーチューブの穴に通し図５Ｂの様にスライド部コイルスプリングまたはスプリットストップを一つずつ加えていけば、リッップバンパーチューブに固着したバンドに包まれた大臼歯が捻転移動し、スライド部以外の湾曲部のワイヤーを少し直線方向に曲げるとスライド部が前方に移動しリップバンパーの本体が長く伸び、バンドに包まれた大臼歯が平行移動する。又、図５Ｃの様に本発明の構造で作成したリップバンパーのスライド部を直線にして使用すればリップバンパー固着バンドに包まれた大臼歯にあまり変化は無い。
【００１６】
本発明の伸縮する歯科矯正用の歯列弓に沿う金属ワイヤーと金属チューブの断面を角型にすれば，伸縮作動時に金属ワイヤーと金属チューブのねじれを防止できる。
【発明を実施するための最良の形態】
【００１７】
歯科矯正治療の歯列のスペースを伸縮する装置に繋がる歯列弓に沿う金属ワイヤーに本発明の伸縮する歯科矯正用の歯列弓に沿う金属ワイヤーを用いると、原動力（例えば拡大弾線や歯列拡大スクリュウなど）が作動しても、歯列弓に沿う金属ワイヤーがほぼ原形を崩さず自動的に湾曲して伸びる為、不必要に変形し歯の不必要な部分を圧迫しないから、金属ワイヤーの困難な調整は必要なく、歯列弓を容易に正確に目的の形に矯正できる。
【００１８】
歯科矯正治療の歯列のスペースを伸縮する装置に繋がる歯列弓に沿う金属ワイヤーに本発明の伸縮する歯科矯正用の歯列弓に沿う金属ワイヤーに希望の方向に弾撥力を仕掛けて於て用いると、その場では矯正力は殆ど発生しないが  原動力（例えば拡大弾線や歯列拡大スクリュウなど）が作動した時にチューブに抑制されたワイヤーの弾力が少しずつ開放され自動的に湾曲して伸び自動的に安全な矯正力が発生する為、歯列弓を容易に正確に目的の形に矯正できる。
【００１９】
本発明の複雑型でリップバンパーを複数の部品による一体型の形状にして、リップバンパーの両端が左右に伸縮出来ながらリップバンパーチューブに適合していく構造にする。
【図面の簡単な説明】
【００２０】
【図１】本発明の基本的な実施例の湾曲部の断面図である。
【図２】本発明の臨床例である。
【図３】本発明の複雑型の基本的な実施例の湾曲部の断面図である。
【図４】本発明の複雑型の正面図である。
【図５】本発明の複雑型の立体図である。
【符号の説明】
【００２１】
１、人の歯の歯列弓の形に沿わせて湾曲し、分割した金属ワイヤー。
２、人の歯の歯列弓の形に沿わせて湾曲した金属チューブ、又はリング。
３、固着部
４、拡大スクリュウ
５、装置維持鈎
【図１】
2006167426.tif 000003
【図２】
2006167426.tif 000004
【図３】
2006167426.tif 000005
【図４】
2006167426.tif 000006
【図５】
2006167426.tif 000007